(57)【要約】  【課題】撮像素子の画素位置に対応して所定配列の色フィルタが形成されている場合に、焦点評価値の算出に用いる色信号のサンプリングレート低下の影響を抑える。  【解決手段】ＡＦ電子カメラは、撮像素子２から撮像信号を出力させる読出しモードとして、撮像素子２の全画素に対応する信号を１水平ラインごとに線順次で読出すフレーム読出しモードと、撮像素子２から所定ラインごとに間引いて撮像信号を読出す高速読出しモードとを備える。ＣＰＵ１２は、ＡＦ処理時の焦点評価値演算用に高速読出しモードを選択する。高速読出しモードでは撮像素子２の６水平ラインごとに隣接する２水平ラインについての撮像信号を読出し、焦点評価値計算では上記２水平ラインに含まれるＧ色データを水平方向に互いに補間し合うように配列し直すことにより、Ｇ色データが水平方向に１画素ピッチで並ぶようにする。  【選択図】図１
2006285094.tif 000002
【特許請求の範囲】
【請求項１】
画素位置に対応して所定配列の色フィルタが形成され、撮影レンズを通して被写体像を撮像する撮像素子と、
前記撮像素子から出力される撮像信号のうち、前記撮像素子の第１の画素列に含まれる特定色成分を示す複数の信号を含む第１の信号列と、前記撮像素子の第２の画素列に含まれる前記特定色成分を示す複数の信号を含む第２の信号列とを用い、前記第１および前記第２の信号列の前記特定色成分を示す信号を互いに補間する前記特定色成分についての信号列を得る信号処理手段と、
フォーカスレンズを移動させるレンズ駆動制御手段と、
前記レンズ駆動制御手段が前記フォーカスレンズを所定単位距離移動させるごとに前記信号処理手段で得られる信号列に基づき、合焦レンズ位置を演算するレンズ位置演算手段とを備えることを特徴とするオートフォーカスカメラ。
【請求項２】
請求項１に記載のオートフォーカスカメラにおいて、
前記色フィルタの色配列はベイヤー配列であり、
前記第１の画素列および前記第２の画素列は隣接することを特徴とするオートフォーカスカメラ。
【請求項３】
請求項２に記載のオートフォーカスカメラにおいて、
前記信号処理手段は、前記撮像素子上で所定画素列ごとに位置する前記第１の画素列および前記第２の画素列に対応する前記第１および前記第２の信号列の組を複数組用い、各組ごとに前記特定色成分についての信号列を得ることを特徴とするオートフォーカスカメラ。
【請求項４】
画素位置に対応して所定配列の色フィルタが形成されている撮像素子から出力される撮像信号のうち、前記撮像素子の第１の画素列に含まれる特定色成分を示す複数の信号を含む第１の信号列と、前記撮像素子の第２の画素列に含まれる前記特定色成分を示す複数の信号を含む第２の信号列とを用い、前記第１および前記第２の信号列の前記特定色成分を示す信号を互いに補間する前記特定色成分についての信号列を得る信号処理手段と、
フォーカスレンズが所定単位距離移動されるごとに前記信号処理手段で得られる信号列に基づき、合焦レンズ位置を演算するレンズ位置演算手段とを備えることを特徴とするオートフォーカス装置。
【発明の詳細な説明】
【技術分野】
【０００１】
本発明は、オートフォーカスカメラに関する。
【背景技術】
【０００２】
ＣＣＤなどの撮像素子を用いて被写体像を撮像し、撮像素子から出力される撮像信号に基づいて撮影レンズによる焦点位置の調節状態を検出するカメラの焦点検出方法が知られている。中でも山登り方式と呼ばれる焦点検出方法は、フォーカスレンズを光軸方向に進退駆動させながら、撮像信号の高周波数成分によるデータ、すなわち、焦点評価値が極大値をとるように合焦位置を検出する。
【０００３】
一方、撮像素子の画素位置に対応して所定配列の色フィルタが形成され、この色フィルタを通して被写体像が撮像される場合、撮像素子の全画素位置に対応する共通の色信号を撮像素子の出力信号から直接得ることができない。ベイヤー配列の色フィルタが形成されている場合を例にすると、撮像素子から出力されるＧ色成分の信号は２画素につき１信号、すなわち２画素ピッチとなり、色フィルタの色配列に起因して実質的にサンプリングレートが低くなる。
【０００４】
【特許文献１】特開２００４−９６９７０号公報
【発明の開示】
【発明が解決しようとする課題】
【０００５】
一般に、焦点評価値の算出に用いる信号のサンプリングレートが低くなると、焦点評価値の極大値を表す曲線の尖鋭度が低下し、極大値の判定精度が悪くなる。このため、焦点評価値をＧ色成分の信号に基づいて算出する場合には、Ｇ色成分の信号が２画素ピッチであることから、全画素位置に対応する信号を用いて算出する場合に比べて精度が劣る。このことは、撮像素子から全水平ラインの撮像信号を１水平ラインずつ線順次で読出すモードでも、撮像素子から所定水平ラインごとに間引いて水平ラインの撮像信号を読出すモード（特許文献１参照）でも共通に生じる。
【課題を解決するための手段】
【０００６】
本発明によるオートフォーカスカメラは、画素位置に対応して所定配列の色フィルタが形成され、撮影レンズを通して被写体像を撮像する撮像素子と、撮像素子から出力される撮像信号のうち、撮像素子の第１の画素列に含まれる特定色成分を示す複数の信号を含む第１の信号列と、撮像素子の第２の画素列に含まれる特定色成分を示す複数の信号を含む第２の信号列とを用い、第１および第２の信号列の特定色成分を示す信号を互いに補間する特定色成分についての信号列を得る信号処理手段と、フォーカスレンズを移動させるレンズ駆動制御手段と、レンズ駆動制御手段がフォーカスレンズを所定単位距離移動させるごとに信号処理手段で得られる信号列に基づき、合焦レンズ位置を演算するレンズ位置演算手段とを備えることを特徴とする。
色フィルタの色配列をベイヤー配列にしてもよく、第１の画素列および第２の画素列は隣接していてもよい。
信号処理手段は、撮像素子上で所定画素列ごとに位置する第１の画素列および第２の画素列に対応する第１および第２の信号列の組を複数組用い、各組ごとに特定色成分についての信号列を得ることもできる。
本発明によるオートフォーカス装置は、画素位置に対応して所定配列の色フィルタが形成されている撮像素子から出力される撮像信号のうち、撮像素子の第１の画素列に含まれる特定色成分を示す複数の信号を含む第１の信号列と、撮像素子の第２の画素列に含まれる特定色成分を示す複数の信号を含む第２の信号列とを用い、第１および第２の信号列の特定色成分を示す信号を互いに補間する特定色成分についての信号列を得る信号処理手段と、フォーカスレンズが所定単位距離移動されるごとに信号処理手段で得られる信号列に基づき、合焦レンズ位置を演算するレンズ位置演算手段とを備えることを特徴とする。
【発明の効果】
【０００７】
本発明によれば、画素位置に対応して所定配列の色フィルタが形成されている撮像素子から出力される撮像信号のうち、撮像素子の第１の画素列に含まれる特定色成分を示す信号を含む第１の信号列と、撮像素子の第２の画素列に含まれる特定色成分を示す信号を含む第２の信号列とを用い、特定色成分についての信号を互いに補間する信号列を得て、この信号列に基づいて合焦レンズ位置を演算するようにしたので、合焦レンズ位置の算出に用いる特定色信号のサンプリングレート低下の影響を受けにくい。
【発明を実施するための最良の形態】
【０００８】
以下、図面を参照して本発明を実施するための最良の形態について説明する。図１は、本発明の一実施の形態によるオートフォーカス（ＡＦ）電子カメラの要部構成を説明するブロック図である。図１において、電子カメラは、レンズユニット１と、撮像素子２と、Ａ／Ｄ変換器４と、メモリ５と、画像処理回路６と、コントロール回路３と、ＣＰＵ１２と、モータ１３と、フォーカス制御機構１４と、操作部材１５とを有する。
【０００９】
レンズユニット１は、不図示のフォーカスレンズを含む。フォーカスレンズは、レンズユニット１を通過した被写体像が撮像素子２の撮像面上に結像するように、焦点位置を調節するレンズである。モータ１３がフォーカス制御機構１４を駆動することにより、フォーカス制御機構１４がフォーカスレンズを光軸方向に進退移動させる。モータ１３は、ＣＰＵ１２から出力されるレンズ駆動信号によって駆動される。
【００１０】
撮像素子２は、たとえば、二次元ＣＣＤイメージセンサなどによって構成される。撮像素子２は、撮像面上の被写体像を撮像し、各画素に対応する撮像信号（蓄積電荷信号）を出力する。撮像素子２から出力される撮像信号は、各画素に入射される光の強さに応じてその信号レベルが異なる。撮像素子２の撮像面には、各画素位置に対応してＲ（赤）、Ｇ（緑）およびＢ（青）のフィルタをベイヤー配列させたカラーフィルタ２ａが配設されている。撮像素子２はカラーフィルタ２ａを通して被写体像を撮像するため、撮像素子２からの信号出力は、１画素当たりＲＧＢのうちいずれか１つの色成分の情報を有する。すなわち、Ｒ色フィルタに対応する画素からはＲ色の信号が出力され、Ｇ色フィルタに対応する画素からはＧ色の信号が出力され、Ｂ色フィルタに対応する画素からはＢ色の信号が出力される。
【００１１】
撮像素子２は、ＣＣＤの代わりにＭＯＳセンサやＣＩＤなどを用いて構成してもよい。コントロール回路３は、撮像素子２に対するタイミング信号を生成して撮像素子２へ送出する。
【００１２】
撮像素子２から出力された撮像信号は、Ａ／Ｄ変換器４によってディジタル信号に変換された後でメモリ５に格納される。画像処理回路６は、メモリ５に格納された画像データに対して所定の方式（たとえば、ＪＰＥＧ）で圧縮処理を施し、圧縮処理後の画像データを外部記録回路７によって不図示の記録媒体に記録させる。画像処理回路６は、外部記録回路７によって記録媒体から読出された圧縮データを伸長する際の伸長処理も行う。記録媒体は、たとえば、メモリカードなどのデータストレージ部材によって構成される。
【００１３】
ＣＰＵ１２は、ＡＥ／ＡＷＢ回路８と、バンドパスフィルタ（ＢＰＦ）９と、積算回路（Σ）１０と、ＡＦ回路１１とを含む。ＣＰＵ１２は、コントロール回路３、メモリ５などと接続され、電子カメラの焦点検出(ＡＦ)や測光(ＡＥ)、ホワイトバランス調整(ＡＷＢ)などの各種演算とカメラ動作のシーケンス制御とを行う。ＣＰＵ１２には、操作部材１５から各種操作信号が入力される。ＣＰＵ１２は、操作部材１５から入力される操作信号に応じて、電子カメラの焦点検出制御、露出制御、およびカラーバランス制御を総括的に管理する。
【００１４】
ＡＥ／ＡＷＢ回路８は、周知の露出演算やホワイトバランス調整処理を行う。ホワイトバランス調整処理は、メモリ５に格納されている画像データに対して行われる。
【００１５】
バンドパスフィルタ９は、メモリ５に格納されている画像処理前の画像データのうち、焦点検出用の領域（フォーカスエリア）に対応する画像データから高周波数成分を抽出するフィルタである。バンドパスフィルタ９によるフィルタ処理後の画像データは、フィルタ処理前の画像データに比べて、低周波数成分、とくに直流成分が除去されている。
【００１６】
積算回路１０は、バンドパスフィルタ９によってフィルタリングされた画像データを積算する。このとき、高周波数成分による差分を積算するために、画像データの絶対値を積算する。
【００１７】
ＡＦ回路１１は、積算回路１０による積算値を用いて焦点評価値を得る。図２は、撮影レンズ１内の不図示のフォーカスレンズの位置と焦点評価値との関係の一例を示す図である。図２において、横軸はフォーカスレンズの位置であり、縦軸は焦点評価値である。焦点評価値を最大にするレンズ位置Ｄ１は、主要被写体に対するフォーカスレンズの合焦位置である。
【００１８】
焦点評価値の演算は、たとえば、フォーカスレンズを至近端から∞（無限遠）端に向けて移動させながら行う。ＡＦ回路１１が繰り返し焦点評価値を算出する場合の算出レートは、撮像素子２による撮像時間、フィルタ処理および積算値演算に要する時間によって決定される。したがって、図２において黒丸で示すように、焦点評価値は算出レートごとの離散データとしてプロットされる。ＡＦ回路１１は、焦点評価値カーブの最大点を含むＰ１〜Ｐ３の３点について、いわゆる３点内挿演算を行って焦点評価値カーブの極大点に対応するレンズ位置Ｄ１を算出する。レンズ位置Ｄ１は、最大点Ｐ２と点Ｐ３とを通る傾きαの直線と、点Ｐ１を通る傾き−αの直線との交点に対応する。このレンズ位置Ｄ１は、撮像素子２によって撮像される被写体像のエッジのボケをなくし、画像のコントラストを最大にする位置である。
【００１９】
本発明は、焦点評価値演算に用いる撮像信号に関する。本実施の形態では、撮像素子２から出力される撮像信号のうち、Ｇ色フィルタに対応するＧ色の信号を用いる。ベイヤー配列の場合、Ｇ色の信号はＲＧＢ全色の信号の中で最も多く存在し、画素配列の垂直方向および水平方向のそれぞれにおいて２画素ピッチ（１画素おき）に得られる。
【００２０】
ＡＦ電子カメラは、撮像素子２から撮像信号を出力させる（読出す）方式として、撮像素子２の全画素（全水平ライン）に対応する信号を１水平ラインごとに線順次で読出す方式（フレーム読出しモードと呼ぶ）と、撮像素子２から所定ラインごとに隣接する複数ラインの撮像信号を読出す方式（高速読出しモードと呼ぶ）とが選択可能に構成されている。ＣＰＵ１２は、コントロール回路３に指令を送出することにより、レリーズ前に撮像素子２で撮像された画像を不図示のモニタ画面に再生表示する（いわゆるスルー画表示）場合や、焦点評価値演算に用いる撮像信号を得る場合には高速読出しモードを選択し、レリーズ後に撮像素子２で撮像された画像を撮影画像として記録媒体に記録する場合にはフレーム読出しモードを選択する。選択された方式で撮像素子２から読出された撮像信号は、上述したようにディジタル化されてメモリ５に格納される。
【００２１】
ＡＦ電子カメラのＣＰＵ１２で行われるＡＦ処理について、図３のフローチャートを参照して説明する。図３による処理は、たとえば、不図示のレリーズスイッチから半押し操作信号がＣＰＵ１２に入力されると開始される。ステップ＃１において、ＣＰＵ１２は、処理に必要なフラグ類を初期化してステップ＃２へ進む。
【００２２】
ステップ＃２において、ＣＰＵ１２は、サーチ位置を設定してステップ＃３へ進む。本実施形態では、サーチ開始位置を至近端に、サーチ終了位置を無限遠端に、それぞれ設定する。なお、サーチ開始位置を無限遠端に、サーチ終了位置を至近端に設定してもよい。ステップ＃３において、ＣＰＵ１２は、モータ１３に駆動信号を出力し、フォーカスレンズ（不図示）をサーチ開始位置へ移動させてステップ＃４へ進む。図４は、ＡＦ処理の経過時間（横軸）およびフォーカスレンズ位置（縦軸）の関係を示す図である。図４において、タイミングｔ１からモータ１３が駆動開始され、タイミングｔ２においてフォーカスレンズがサーチ開始位置（ここでは至近端）に到達する。
【００２３】
ステップ＃４において、ＣＰＵ１２は、レンズ移動速度を設定してステップ＃５へ進む。サーチ開始位置からサーチ終了位置までのフォーカスレンズの移動時間は、この移動速度によって決定される。レンズ移動速度を遅くすると図２におけるプロット数が多くなり、レンズ移動速度を速くするとプロット数が少なくなる。レンズ移動速度は、焦点評価値カーブの「山」を構成するプロット数が少なくとも３点以上になるように設定するのが好ましい。
【００２４】
ステップ＃５において、ＣＰＵ１２は、積算回路１０による積算値（焦点評価値）を取得し、フォーカスレンズの位置を示す情報に関連づけて履歴データとしてＡＦ回路１１内にそれぞれ記憶し、ステップ＃６へ進む。焦点評価値計算の詳細については後述する。フォーカスレンズの位置は、たとえば、フォーカス制御機構１４からレンズ位置を示す情報を入力して取得する。
【００２５】
ステップ＃６において、ＣＰＵ１２は、モータ１３に駆動信号を出力してステップ＃７へ進む。これにより、フォーカスレンズが上記レンズ移動速度で駆動開始される。ステップ＃７において、ＣＰＵ１２は、フォーカスレンズの位置がサーチ終了端か否かを判定する。ＣＰＵ１２は、フォーカスレンズ位置がサーチ終了端の場合にステップ＃７を肯定判定してステップ＃８へ進み、フォーカスレンズ位置がサーチ終了端に到達していない場合にはステップ＃７を否定判定し、ステップ＃５へ戻る。
【００２６】
以上のステップ＃５〜ステップ＃７の処理により、フォーカスレンズの位置がサーチ開始端からサーチ終了端まで移動する間（図４のタイミングｔ３〜タイミングｔ４）に、焦点評価値カーブを表す複数の焦点評価値が得られる。ここでは、焦点評価値カーブを構成する複数の焦点評価値を焦点評価値履歴と呼ぶ。
【００２７】
ステップ＃８において、ＣＰＵ１２は、合焦位置計算を行ってステップ＃９へ進む。具体的には、焦点評価値履歴のうち最大値およびその両隣りの３点について、３点内挿演算を行って焦点評価値履歴カーブの極大点に対応するレンズ位置Ｄ１を合焦位置とする。
【００２８】
ステップ＃９において、ＣＰＵ１２は、合焦位置計算に用いた焦点評価値履歴の中の最大値が所定レベル以上か否かを判定する。ＣＰＵ１２は、焦点評価値履歴に所定レベル以上の焦点評価値が含まれる場合にステップ＃９を肯定判定してステップ＃１０へ進み、焦点評価値履歴に所定レベル以上の焦点評価値が含まれていない場合にはステップ＃９を否定判定し、ステップ＃１１へ進む。ステップ＃１０へ進む場合は、焦点検出処理に必要なコントラスト情報が得られている場合である。ステップ＃１１へ進む場合は、被写体が白壁や黒壁などのためコントラストが低い場合である。この場合には、焦点評価値の最大点がノイズなどによって生じるため、擬合焦のおそれがある。
【００２９】
ステップ＃１１において、ＣＰＵ１２は、焦点調節不能とみなしていわゆるローコントラスト処理を行う。ＣＰＵ１２は、モータ１３にレンズ駆動信号を出力し、フォーカスレンズ（不図示）をサーチ終了位置から所定のレンズ位置（たとえば、撮影距離１ｍ〜３ｍのいずれか）に移動させ、図３による処理を終了する。
【００３０】
ステップ＃１０において、ＣＰＵ１２は、モータ１３にレンズ駆動信号を出力し、フォーカスレンズをサーチ終了位置から合焦レンズ位置Ｄ１へ移動させ、図３による処理を終了する。図４において、タイミングｔ５からモータ１３が駆動開始され、フォーカスレンズが合焦レンズ位置Ｄ１に到達する（タイミングｔ６）。
【００３１】
焦点評価値計算の詳細について、図５のフローチャートを参照して説明する。図５のステップ＃１０１において、ＣＰＵ１２は、高速読出しモードによって撮像素子２から読出され、メモリ５内でバッファーメモリとして利用される領域に格納されているデータをメモリ５から読出す。ＣＰＵ１２はさらに、読出しデータのうちＧ色に対応するデータを配列し直し、配列し直したＧ色データをメモリ５内で読出し配列領域として利用される領域へ格納する。
【００３２】
図６は、メモリ５内のバッファーメモリ領域に格納されているデータと、撮像素子２上の画素位置との関係を例示する図である。図６において、ゴシック体による文字で示した画素列（水平ラインＬ１ｂおよびＬ２ｂに含まれる画素、水平ラインＬ７ｂおよびＬ８ｂに含まれる画素）は、高速読出しモードによって撮像素子２から読出される信号に対応する画素列を示す。図６によれば、撮像素子２の６水平ラインごとに隣接する２水平ラインについての撮像信号が読出される。
【００３３】
図７は、メモリ５の読出し配列領域に格納されるＧ色データを説明する図である。図７において、水平ラインＬ１ｂに含まれるＧ色データの配列をG[1,2]、G[1,4]、G[1,6]…で表し、水平ラインＬ２ｂに含まれるＧ色データの配列をG[2,1]、G[2,3]、G[2,5]…で表す。 ＣＰＵ１２は、これら２ラインに含まれるＧ色成分のデータについて、水平方向に互いに補間し合うように配列し直すことにより、Ｇ１←G[2,1]、Ｇ２←G[1,2]、Ｇ３←G[2,3]、Ｇ４←G[1,4]、Ｇ５←G[2,5]、Ｇ６←G[1,6]、…とする。
【００３４】
配列し直されたＧ色データは、水平方向に１画素ピッチで並ぶので、２画素ピッチの場合に比べて高い周波数成分の情報を得ることが可能になる。すなわち、色フィルタの色配列に起因するサンプリングレート低下の影響を抑制できる。ＣＰＵ１２は、このようにＧ色データをメモリ５の読出し配列領域に格納するとステップ＃１０２へ進む。水平ラインＬ７ｂおよびＬ８ｂに含まれるＧ色データについても同様である。
【００３５】
ステップ＃１０２において、ＣＰＵ１２（バンドパスフィルタ９）は、メモリ５の読出し配列領域に格納されているＧ色データ配列[Ｇ１,Ｇ２,Ｇ３,Ｇ４,Ｇ５,Ｇ６,…]に対してフィルタ（ＢＰＦ）処理を施してステップ＃１０３へ進む。ステップ＃１０３において、ＣＰＵ１２は、絶対値処理を行ってステップ＃１０４へ進む。ステップ＃１０４において、ＣＰＵ１２（積算回路１０）は、Ｇ色データの絶対値を積算してステップ＃１０５へ進む。なお、ステップ＃１０１〜＃１０４までの処理は、メモリ５の読出し配列領域に格納されているＧ色データのうち、焦点検出用の領域（フォーカスエリア）に対応するデータについて行えばよい。
【００３６】
ステップ＃１０５において、ＣＰＵ１２は、ステップ＃１０４において算出した積算値を当該フォーカスエリアの焦点評価値としてフォーカスレンズ位置の情報に関連づけてＡＦ回路１１内に記憶する。ＣＰＵ１２は、焦点評価値を記憶すると図３のステップ＃６へ進む。
【００３７】
以上説明した実施の形態によれば、次の作用効果が得られる。
（１）撮像素子２から撮像信号を出力させる読出しモードとして、撮像素子２の全画素に対応する信号を１水平ラインごとに線順次で読出すフレーム読出しモードと、撮像素子２から所定ラインごとに間引いて撮像信号を読出す高速読出しモードとを備え、ＣＰＵ１２がＡＦ処理時に高速読出しモードを選択するようにした。これにより、焦点評価値演算に用いるデータ読出し時間が短縮され、ＡＦ処理の応答性を向上できる。
【００３８】
（２）高速読出しモードでは撮像素子２の６水平ラインごとに隣接する２水平ラインについての撮像信号を読出し、焦点評価値計算では上記２水平ラインに含まれるＧ色データを水平方向に互いに補間し合うように配列し直すことにより、Ｇ色データが水平方向に１画素ピッチで並ぶようにした。これにより、Ｇ色データが２画素ピッチで並ぶ場合に比べて高い周波数成分の情報を得ることが可能になり、焦点評価値の極大値を表す曲線の尖鋭度を高められる。この結果、極大値の判定精度が良くなるので、合焦位置の算出精度も向上する。さらに、隣接する２水平ラインについてＧ色データを並べ直すだけで、Ｇ色成分の信号を他の色成分の信号もしくは近接するＧ色成分の信号を用いて補間演算する処理を必要としないので、ＡＦ処理の応答性を損なうことがない。
【００３９】
以上の説明では、フォーカスレンズを至近端から∞（無限遠）端に向けて移動させながらフォーカスレンズの移動範囲の全域で離散的に焦点評価値履歴を取得し、取得した焦点評価値履歴に基づいて合焦位置を求めてからフォーカスレンズを合焦位置へ駆動する例を説明した。この代わりに、フォーカスレンズを至近端から無限遠端に向けて所定量移動させるごとに焦点評価値を算出し、算出した焦点評価値をフォーカスレンズ移動前の前回の焦点評価値と比較し、前回の焦点評価値からの変化状態に基づいて合焦判定、次にフォーカスレンズを移動させる場合の移動方向、ならびに移動量の決定を行うように構成してもよい。
【００４０】
カラーフィルタ２ａは、原色フィルタに限らず補色フィルタであってもよく、その色配列についても、ベイヤー配列に限らず、デルタ配列をはじめとする他の色配列でもよい。この場合、撮像素子２から高速読出しモードにおいて読出される水平ラインは、必ずしも隣接するラインでなくてもよく、色フィルタの配列パターンに応じて近接するラインを読出してもよい。また、隣接（もしくは近接）する水平ライン数は、上述した２ラインずつの組に限らず３ラインずつの組であってもよい。ＣＰＵ１２は、水平ラインのそれぞれの組に含まれる特定色データが互いに補間し合うように配列し直し、特定色データについての信号列を水平ラインの組ごとに得る。
【００４１】
高速読出しモードでは、撮像素子２の６水平ラインごとに隣接する２水平ラインについての撮像信号を読出すようにしたが、４水平ラインごとでも１０水平ラインごとでもよい。
【００４２】
また、撮像素子２から高速読出しモードで読出された水平ラインについて、特定色データを互いに補間するように配列し直す例を説明したが、撮像素子２からフレーム読出しモードで読出された水平ラインの全てについて、特定色データを互いに補間するように配列し直す構成にしてもよい。
【００４３】
上述した実施形態では、Ａ／Ｄ変換器４から出力されるデータをメモリ５のバッファーメモリ領域に一旦格納し、バッファーメモリ領域に格納したデータのうち特定色に対応するデータを配列し直してメモリ５の読出し配列領域に格納するようにした。この代わりに、Ａ／Ｄ変換器４から出力されるデータをＣＰＵ１２に逐次入力し、ＣＰＵ１２が入力されるデータに対して逐次配列し直す処理を施すように構成してもよい。
【００４４】
本発明は電子カメラに限らず、銀塩カメラなどの焦点調節装置（オートフォーカス装置）に適用してもよい。この場合のオートフォーカス装置は、図１の構成のうちレンズユニット１、メモリ５、画像処理回路６、外部記録回路７、モータ１３、フォーカス制御機構１４および操作部材１５を除く構成とすればよく、撮像素子２も、撮影画面の中で少なくとも焦点検出用の領域（フォーカスエリア）に対応する撮像信号を得るものであればよい。
【００４５】
特許請求の範囲における各構成要素と、発明を実施するための最良の形態における各構成要素との対応について説明する。撮影レンズ、フォーカスレンズは、たとえば、レンズユニット１によって構成される。第１の画素列は、たとえば、水平ラインＬ１ｂに含まれる画素列に対応する。第２の画素列は、たとえば、水平ラインＬ２ｂに含まれる画素列に対応する。第１の信号列は、たとえば、G[1,2]、G[1,4]、G[1,6]…が対応する。第２の信号列は、たとえば、G[2,1]、G[2,3]、G[2,5]…が対応する。信号処理手段、レンズ位置演算手段は、たとえば、ＣＰＵ１２によって構成される。レンズ駆動制御手段は、たとえば、モータ１３およびフォーカス制御機構１４によって構成される。なお、以上の説明はあくまで一例であり、発明を解釈する上で、上記の実施形態の構成要素と本発明の構成要素との対応関係に何ら限定されるものではない。
【図面の簡単な説明】
【００４６】
【図１】本発明の一実施の形態によるＡＦ電子カメラの要部構成を説明するブロック図である。
【図２】フォーカスレンズの位置と焦点評価値との関係の一例を示す図である。
【図３】ＣＰＵで行われるＡＦ処理について説明するフローチャートである。
【図４】ＡＦ処理の経過時間およびフォーカスレンズ位置の関係を示す図である。
【図５】焦点評価値計算の詳細について説明するフローチャートである。
【図６】バッファーメモリ領域に格納されているデータと撮像素子上の画素位置との関係を例示する図である。
【図７】メモリの読出し配列領域に格納されるＧ色データを説明する図である。
【符号の説明】
【００４７】
１…レンズユニット
２…撮像素子
２ａ…カラーフィルタ
３…コントロール回路
４…Ａ／Ｄ変換器
５…メモリ
６…画像処理回路
８…ＡＥ／ＡＷＢ回路
９…バンドパスフィルタ
１０…積算回路
１１…ＡＦ回路
１２…ＣＰＵ
１３…モータ、
１４…フォーカス制御機構
１５…操作部材
【図１】
2006285094.tif 000003
【図２】
2006285094.tif 000004
【図３】
2006285094.tif 000005
【図４】
2006285094.tif 000006
【図５】
2006285094.tif 000007
【図６】
2006285094.tif 000008
【図７】
2006285094.tif 000009